(57)【特許請求の範囲】
【請求項１】
一端を便座に回転不能に係止されて便器に前記便座を回転自在に軸支するヒンジピンと、該ヒンジピンに設けられたカムと、前記便座の自重による回転トルクよりも大きな回転トルクが発生しない限り前記便座が倒れる方向に前記ヒンジピンが回転するのを防止すべく前記ヒンジピンの軸心と直行する方向からのみ前記カムに作用する回転阻止手段と、前記ヒンジピンの他端を回転自在に保持する保持部材と、を備えたことを特徴とする便座の倒れ防止装置。
【請求項２】
前記回転阻止手段が、前記カムに係止して前記カムを回転不能とする係止部材と、一端側が前記係止部材に他端側が前記保持部材に保持されて前記係止部材を前記カムに押しつける押圧手段と、を備えたことを特徴とする請求項１記載の便座の倒れ防止装置。
【発明の詳細な説明】
【０００１】
【産業上の利用分野】
本発明は、人が排便時に座る便座を有する洋風便座の自立装置に関する。
【０００２】
【従来の技術】
従来より、洋式便器は男子小用の際、便座を起立させて使用するのが一般的である。
【０００３】
しかしながら、便器の後方に貯水タンクを備えるものにおいては設置現場の状況によって貯水タンクが通常の設置位置より便座側に取り付けられる場合があり、この場合には便座が自立するのに十分な開閉角度を確保することができない。
【０００４】
このため、男子小用の際に、便座を手で押さえて使用する等の煩わしさを伴うことになる。
【０００５】
又、近年では快適な感触と保温を図るために便座にカバーを装着し、更に便蓋にも装飾効果を図ってカバーを装着する場合が多いため、これらのカバーの厚みにより、便座が更に自立し難くなって上記問題を増大させている。
【０００６】
上記問題を解決する装置としては、例えば実開昭６０−５６３９６号公報に開示される技術が知られている。これは、便器に便座を回転自在に軸支するヒンジピンを便座に回転不能に係止して先端にカムを突設すると共にこのカムの近傍位置にヒンジピンを逆回転を阻止する弾性部材を設けたものである。
【０００７】
【発明が解決しようとする課題】
上記した従来の技術においては、ヒンジピンの先端にカムが突設されていて、このカムを弾性部材により押圧することによって、便座が倒れるのを防止しているが、ヒンジピンの先端が自由端となっていることにより便座が回転してカムが弾性部材からの押圧力を受ける際、ヒンジピンがその所定の回転軸に対してズレが生じ、便座の自立を保持できないことがある。そして、上記ズレは弾性部材の押圧力が強くなればなるほど顕著に現れる。
【０００８】
本発明は、確実に便座を自立させておくことができる便座の倒れ防止装置の提供を技術的課題とする。
【０００９】
【課題を解決するための手段】
上記技術的課題を解決するため請求項１において講じた技術的手段は、一端を便座に回転不能に係止されて便器に前記便座を回転自在に軸支するヒンジピンと、該ヒンジピンに設けられたカムと、前記便座の自重による回転トルクよりも大きな回転トルクが発生しない限り前記便座が倒れる方向に前記ヒンジピンが回転するのを防止すべく前記ヒンジピンの軸心と直行する方向からのみ前記カムに作用する回転阻止手段と、前記ヒンジピンの他端を回転自在に保持する保持部材と、を備えたことを特徴とする便座の倒れ防止装置を構成したことである。
【００１０】
請求項２の発明において講じた技術的手段は、回転阻止手段が、カムに係止してカムを回転不能とする係止部材と、一端側が係止部材に他端側が保持部材に保持されて係止部材をカムに押しつける押圧手段とを備えたことである。
【００１１】
【作用】
請求項１の発明においては、便座を起立させると、回転阻止手段がカムに作用して、便座の自重による回転トルクよりも大きな回転トルクが発生しない限りヒンジピンが回転しないようになり、便座が倒れるのが防止される。
【００１２】
請求項２の発明においては、押圧手段の一端側において係止部材をカムに向けて押圧することにより、便座自立時における便座の倒れを防止している。
【００１３】
【実施例】
本発明に係る一実施例を図面に基づいて説明する。
【００１４】
図１は本実施例の洋式便器の斜視図、図２は図１中破線部を部分拡大した破断図、図３はホルダの断面図である。
【００１５】
図において、１０は便器、１１は便蓋、１２は便座、１３は内部に洗浄水を蓄える貯水タンク１４をそれぞれ示している。便座１２は、局部洗浄装置１５の回動部（図１中破線部）にて回動自在に取り付けられている。
【００１６】
図１中左側の回動部について説明する。勿論、右側の回動部も同様な構造であり、右側もしくは左側のみに回動部を設けるようにしてもよい。便座１２の貯水タンク１４側には、係合部１２ａが設けられていて、その係合部１２ａには角柱状（角柱でなくてもよい）のヒンジピン１６の一端が挿入されて、ヒンジピン１６と一体的に回転するようになっている。ヒンジピン１６の他端には、カム１７及び保持部材と回転阻止手段とを構成するホルダ１８の保持部１８ａが貫通されている。このとき、カム１７はヒンジピン１６に一体的に回転可能に、一方、ホルダ１８の保持部１８ａはヒンジピン１６のみが回転自在となっている。更に、ヒンジピン１６は、便蓋１１と、ベースカバー１５ａに装着された軸受け部材１９とをも貫通している。
【００１７】
回転阻止手段は、カム１７の近傍位置に配設されて、便座１２の自重による回転トルクよりも大きな回転トルクが発生しない限り便座１２が倒れる方向にヒンジピン１６が回転するのを防止するものであり、次に示す構成となっている。局部洗浄装置１５のハウジング１５ａの上面に固定され上述した保持部１８ａを有したホルダ１８と、ホルダ１８に設けられた垂直孔１８ｂ内を下部の案内ピン２０ｂで案内しながら摺動しカム１７に係止可能な突起２０ａを有した係止部材２０と、一端が係止部材２０に他端がホルダ１８に支持され係止部材２０をカム１７と係止する方向へ常時付勢し押圧手段であるスプリング２１とから構成されている。
【００１８】
次に、本実施例の作動を図４を用いて説明する。図４中（Ａ）図は便座１２が倒れた状態を、（Ｂ）図は便座１２が自立した状態を示している。
【００１９】
男子が小用を足すときには、便蓋１１及び便座１２を手動で自立させる動作を行う。便座１２を自立させるべく、便座１２に回転トルクが付与されると、ヒンジピン１６を介してカム１７が回動し、カム１７は係止部材２０をスプリング２１の付勢力に抗して一時的に下動させる。そして、係止部材２０の突起２０ａは、カム１７の周面を摺動しながら（Ａ）の状態から（Ｂ）の状態となって再びカム１７の回動を防止すべく係止する。このように、カム１７を係止部材２０の突起２０ａで係止することにより、便座１２が倒れることが防止される。尚、スプリング２１の付勢力は、便座１２の開閉角度や重量により適切な値が用いられる。
【００２０】
便座１２を倒すときには、使用者が便座１２を倒す方向へ回転トルクを付与して、前述した作用と同様な作用で便座１２が倒される。
【００２１】
本実施例においては、ホルダ１８の保持部１８ａによりヒンジピン１６の他端を回動自在に保持し、ヒンジピン１６の他端をも固定端としたために、従来の装置のようにヒンジピンが回転するときにカムが弾性部材からの押圧力を受けてヒンジピンがその所定の回転軸に対してズレが生じることなく、便座を確実に自立させておくことができる。
【００２２】
又、スプリング２１の付勢力を調整することで容易に便座１２を倒すための力を変化させることができるので、便座１２の開閉角度や重量の変化への対応が容易である。
【００２３】
【発明の効果】
請求項１の発明においては、保持手段によりヒンジピンの他端を保持し、ヒンジピンの他端をも固定端としていために、従来の装置のようにヒンジピンが回転するときにカムが弾性部材からの押圧力を受けてヒンジピンがその所定の回転軸に対してズレが生じることなく、便座を確実に自立させておくことができる。
【００２４】
請求項２の発明においては、押圧部材の押圧力を調整することで容易に便座を倒すための力を変化させることができるので、便座の開閉角度や重量の変化への対応が容易である。
【図面の簡単な説明】
【図１】洋式便器の斜視図を示す。
【図２】図１中破線部を部分拡大した破断図を示す。
【図３】ホルダの断面図を示す。
【図４】本実施例の作動図説明図を示す。
【符号の説明】
１０・・・便器
１２・・・便座
１６・・・ヒンジピン
１７・・・カム
１８・・・ホルダ
１８ａ・・・保持部
２１・・・係止部材
２１ａ・・・突起
２２・・・スプリング（押圧部材）
【図１】
0003648768.tif 000002
【図２】
0003648768.tif 000003
【図３】
0003648768.tif 000004
【図４】
0003648768.tif 000005